(57)【要約】【課題】ユーザの日々の生活により有用な情報を得ることが可能なデータ表示装置を提供する。【解決手段】ユーザ所望の計算処理が行えるのは勿論、現在の時刻および温度・湿度の確認ができるだけでなく、（Ａ）現在の温度と湿度を表示させた状態で、［Ｍ−］キー１１ｄが操作されると、（Ｂ）前日同時刻の温度と湿度に切り替えられて表示され、更に、当該［Ｍ−］キー１１ｄが操作される毎に、（Ａ）現在の温度・湿度と（Ｂ）前日同時刻の温度・湿度とが、交互に切り替えられて表示される。今日と昨日の同時刻の温度・湿度を直接的に比較でき、例えば日々外出する際の衣服を調整するといった、より有用な判断が行える。【選択図】      図６
2020071178.tif 000002
【特許請求の範囲】
【請求項１】
表示部と、制御部とを備え、
前記制御部は、
現在の気象要素のデータと、少なくとも前日以前の前記現在と同時刻あるいは同時間帯の前記気象要素のデータとを、前記表示部に表示させる、
データ表示装置。
【請求項２】
前記制御部は、
現在の気象要素のデータと、少なくとも前日以前の前記現在と同時刻あるいは同時間帯の前記気象要素のデータとを、ユーザ操作に応じて切り替えて前記表示部に表示させる、
請求項１に記載のデータ表示装置。
【請求項３】
前記制御部は、更に、
現在の気象要素のデータと、少なくとも前日以前の前記現在と同時刻あるいは同時間帯の前記気象要素のデータとの差分のデータを、前記表示部に表示させる、
請求項１または請求項２に記載のデータ表示装置。
【請求項４】
前記気象要素を測定する気象要素測定部と、
現在時刻を取得する時計部と、
データを記録する記録部とを更に備え、
前記制御部は、
前記気象要素測定部により測定された気象要素のデータを前記時計部により取得される現在時刻のデータに対応付けて前記記録部に記録し、
現在の気象要素のデータと、少なくとも前日以前の前記現在と同時刻あるいは同時間帯の前記気象要素のデータとを、前記記録部から読み出して前記表示部に表示させる、
請求項１ないし請求項３の何れか一項に記載のデータ表示装置。
【請求項５】
前記少なくとも前日以前の前記現在と同時刻あるいは同時間帯は、前日の前記現在と同時刻あるいは同時間帯である、
請求項１ないし請求項４の何れか一項に記載のデータ表示装置。
【請求項６】
前記気象要素は、少なくとも温度を含む、
請求項１ないし請求項５の何れか一項に記載のデータ表示装置。
【請求項７】
表示部を備えた電子機器の制御部により、
現在の気象要素のデータと、少なくとも前日以前の前記現在と同時刻あるいは同時間帯の前記気象要素のデータとを、前記表示部に表示させる、
ようにしたデータ表示方法。
【請求項８】
表示部を備えた電子機器のコンピュータを、
現在の気象要素のデータと、少なくとも前日以前の前記現在と同時刻あるいは同時間帯の前記気象要素のデータとを、前記表示部に表示させる、
ように機能させるためのコンピュータ読み込み可能なプログラム。
【発明の詳細な説明】
【技術分野】
【０００１】
本発明は、気象要素を測定対象としたデータ表示装置、データ表示方法、およびその制御プログラムに関する。
【背景技術】
【０００２】
従来、気象要素（温度・湿度・気圧・風向・風圧など）を表示させる電子機器として、例えば、時計付きのデジタル温湿度計が実用されている。
【０００３】
時計付きのデジタル温湿度計は、温度センサと湿度センサを備え、当該温度センサと湿度センサにより測定した現在の温度および湿度を表示する。また、切替ボタンの操作に応じて、現在の温度および湿度の表示を、２４〜２５時間以内の最高の温度および湿度の表示と、最低の温度および湿度の表示とに、順次切り替えて表示する機能を有している。
【先行技術文献】
【非特許文献】
【０００４】
【非特許文献１】デジタル温度・湿度計（クロック付）取扱説明書（取扱説明書番号  Ｄ０６８−ＣＧＸＺ）  リズム時計工業株式会社  ［平成３０年８月６日検索］、インターネット＜ＵＲＬ：http://rhythm.jp/products/detail/?goods_cd=8RD200-A03＞
【発明の概要】
【発明が解決しようとする課題】
【０００５】
従来の時計付きのデジタル温湿度計では、直前２４〜２５時間以内の最高と最低の温度・湿度を、現在の温度・湿度から切り替えて確認できる。しかしこの温度・湿度の情報は、単に、現在の温度・湿度と、過去丸一日のうちでの最高と最低の温度・湿度とを比較できるだけであり、ユーザの日々の生活に有用な情報とはなっていない。
【０００６】
本発明は、このような課題に鑑みてなされたもので、ユーザの日々の生活により有用な情報を得ることが可能になるデータ表示装置、データ表示方法、およびその制御プログラムを提供することを目的とする。
【課題を解決するための手段】
【０００７】
本発明の実施形態に係るデータ表示装置は、表示部と、制御部とを備え、前記制御部は、現在の気象要素のデータと、少なくとも前日以前の前記現在と同時刻あるいは同時間帯の前記気象要素のデータとを、前記表示部に表示させる。
【図面の簡単な説明】
【０００８】
【図１】本発明のデータ表示装置の実施形態に係る時計・温湿度計付き電卓１０の外観構成を示す正面図。
【図２】時計・温湿度計付き電卓１０の電子回路の構成を示すブロック図。
【図３】時計・温湿度計付き電卓１０の測定データエリア２２ｄにおける温度と湿度のデータの記録状態の一例を示す図。
【図４】時計・温湿度計付き電卓１０のモード設定処理を示すフローチャート。
【図５】時計・温湿度計付き電卓１０の第１実施形態の温湿度モード処理を示すフローチャート。
【図６】時計・温湿度計付き電卓１０の第１実施形態の温湿度モード処理に従った温度と湿度の表示遷移を示す図。
【図７】時計・温湿度計付き電卓１０の第２実施形態の温湿度モード処理に従った温度と湿度の表示遷移を示す図。
【図８】時計・温湿度計付き電卓１０の第３実施形態の温湿度モード処理に従った温度と湿度の表示遷移を示す図。
【発明を実施するための形態】
【０００９】
以下図面を参照して本発明の実施形態について説明する。
【００１０】
（第１実施形態）
図１は、本発明のデータ表示装置の実施形態に係る時計・温湿度計付き電卓１０（以下「電卓１０」と呼称する。）の外観構成を示す正面図である。
【００１１】
なお、データ表示装置は、電卓１０として構成する他、時計機能および温湿度測定機能を有するパーソナルコンピュータ、タブレット型コンピュータ、スマートフォン、携帯電話機、タッチパネル式ＰＤＡ(personal digital assistants)、電子ブック、携帯ゲーム機等として構成することができる。なお、電卓１０のような物理的なキー（ボタン）が実装されていないデータ表示装置は、電卓１０のキーと同様なソフトウェアキーボードを表示し、このソフトウェアキーボードに対するキー操作に応じて計算処理などを実行する。
【００１２】
電卓１０は、その筐体の正面に、キー入力部１１および液晶ドットマトリクス式の表示部１２を備え、電卓モードと、時計モードと、温湿度モードとの３つの動作モードを有する。
【００１３】
キー入力部１１には、テンキー（［０］〜［９］）、四則演算子キー（［＋］［−］［×］［÷］）、［ＡＣ］（オールクリア）キー１１ａ、［Ｃ］（クリア）キー１１ｂ、［Ｍ＋］（メモリプラス）キー１１ｃ、［Ｍ−］（メモリマイナス）キー１１ｄ、［ＭＲＣ］（メモリクリア）キーなどのほか、［時計／温湿度］キー１１ｅが設けられる。
【００１４】
表示部１２には、電卓モードでは、キー入力された計算式のデータや計算結果のデータなどが表示され、時計モードでは、現在の年月日・時刻・曜日などが表示され、温湿度モードでは、現在や過去の温度・湿度などが表示される。
【００１５】
［ＡＣ］（オールクリア）キー１１ａは、動作モードを電卓モードに設定し、計算処理を行うための作業データを全消去するキーとして機能する。
【００１６】
［時計／温湿度］キー１１ｅは、時計モードの設定と温湿度モードの設定とを切り替えるキーとして機能する。
【００１７】
なお、動作モードを、電卓モードに設定するキーと、時計モードに設定するキーと、温湿度モードに設定するキーとを、それぞれ独立して設けてもよい。
【００１８】
図１に示す電卓１０では、温湿度モードにおいて、現在の温度（２５．７℃）と湿度（７０％）が表示された状態において、［Ｍ−］キー１１ｄを操作すると、前日同時刻の温度（２６．５℃）と湿度（６９％）に切り替えて表示できることを示している。なお、前日同時刻に限らず、少なくとも前日以前でユーザにより指定された日の現在と同時刻であってもよい。また、少なくとも前日以前でユーザにより指定された日の現在と同時刻に限らず、少なくとも前日以前でユーザにより指定された日の現在と同時間帯であってもよい。ここで、上記時間帯は、例えば、１０分間隔で設定されていればよく、現在の時刻が属する時間帯と同じ時間帯を意味する。以下、説明の便宜上、温湿度モードにおいて、現在の温度・湿度に対して前日同時刻の温度・湿度が比較対象とされる場合を例に挙げて説明する。
【００１９】
ユーザは、現在の温度・湿度と、前日同時刻（あるいはユーザにより指定された日の同時刻）の温度・湿度とを切り替えて確認できることにより、例えば通勤通学のための日々の外出に際し、今日と昨日（あるいは前回外出した日）の同時刻の温度・湿度を直接的に比較でき、例えば、今日は昨日より暑いから昨日より一枚薄着にしようとか、今日は昨日より寒いから昨日より一枚厚着にしようといった、より有用な判断ができるようになる。
【００２０】
図２は、時計・温湿度計付き電卓１０の電子回路の構成を示すブロック図である。
【００２１】
電卓１０は、コンピュータであるＣＰＵ(processor)２１を備える。ＣＰＵ２１は、メモリ２２に予め記憶されたプログラム、あるいはメモリカードなどの外部記録媒体２３から記録媒体読取部２４により読み取られてメモリ２２に記憶されたプログラム、あるいはインターネットなどの通信ネットワークＮ上のＷｅｂサーバ（ここでは、プログラムサーバ）３０から通信部２５を介してダウンロードされメモリ２２に記憶されたプログラムに従い、回路各部の動作を制御する。
【００２２】
メモリ２２に記憶されるプログラムとしては、電卓１０の全体の動作を司るシステムプログラムのほかに、キー入力部１１のユーザ操作に応じた計算表示処理をＣＰＵ２１に実行させるための電卓処理プログラム２２ａ、年月日・時刻・曜日などの時計データの取得表示処理をＣＰＵ２１に実行させるための時計処理プログラム２２ｂ、温度と湿度のデータの測定表示処理をＣＰＵ２１に実行させるための温湿度処理プログラム２２ｃが記憶される。
【００２３】
また、メモリ２２には、温度と湿度の測定データを記憶するための測定データエリア２２ｄ、現在設定されている動作モードのデータを記憶するためのモードデータエリア２２ｅなどの作業データの記憶エリアが確保される。
【００２４】
ＣＰＵ２１には、システムおよび制御バスを介して、キー入力部１１、表示部１２、メモリ２２、記録媒体読取部２４、通信部２５のほかに、電波時計部２６、温度測定部２７、湿度測定部２８が接続される。
【００２５】
電波時計部２６は、例えば、タイムゾーン対応テーブルを有するＧＰＳレシーバ、標準電波レシーバ、および計時回路などを備え、現在の正確な年月日・時刻・曜日のデータを取得する。
【００２６】
温度測定部２７は、温度センサを備え、現在の温度のデータを測定して取得する。
【００２７】
湿度測定部２８は、湿度センサを備え、現在の湿度のデータを測定して取得する。
【００２８】
電卓１０の電子回路は、乾電池、充電池、太陽電池などの電池電源２９により駆動される。
【００２９】
図３は、時計・温湿度計付き電卓１０の測定データエリア２２ｄにおける温度と湿度のデータの記録状態の一例を示す図である。
【００３０】
本実施形態の測定データエリア２２ｄには、所定の時間間隔（ここでは１０分間隔）で測定した温度と湿度のデータを、その測定時刻に対応付けて４８時間分常時連続して記録するためのメモリエリアが確保される。例えば、前半のメモリエリアを対象に測定時刻００：００〜２３：５０に対応付けて順次データを記録しているときには、当該前半のメモリエリアに対応する２４時間を「当日」、データ記録済みの後半のメモリエリアに対応する２４時間を「前日」として処理し、当該後半のメモリエリアを対象に測定時刻００：００〜２３：５０に対応付けて順次データを記録しているときには、当該後半のメモリエリアに対応する２４時間を「当日」、データ記録済みの前半のメモリエリアに対応する２４時間を「前日」として処理する。
【００３１】
なお、測定データエリア２２ｄに必要なメモリエリアは４８時間分に限らず、より長期または短期に対応するメモリエリアでもよいが、現在の温度と湿度のデータに対する前日同時刻の温度と湿度のデータを取得するためには、少なくとも２４時間を超えるメモリエリアを確保すればよい（メモリエリア節約のため。）。この場合、現在時刻に至る測定時刻００：００以降の記録を「当日」として処理し、当該００：００より前の記録を「前日」として処理する。
【００３２】
なお、測定データエリア２２ｄに記録する温度・湿度のデータは、所定の時間間隔毎に、その間に複数回測定した温度・湿度のデータを平均したデータとしてもよい。
【００３３】
このように構成された時計・温湿度計付き電卓１０は、ＣＰＵ２１がプログラム（２２ａ，２２ｂ，２２ｃ）に記述された命令に従い回路各部の動作を制御し、ソフトウエアとハードウエアとが協働して動作することにより、以下の動作説明で述べるような、計算機能（電卓モード）と時計機能（時計モード）と温湿度表示機能（温湿度モード）とを実現する。
【００３４】
次に、時計・温湿度計付き電卓１０の動作について説明する。
【００３５】
図４は、時計・温湿度計付き電卓１０のモード設定処理を示すフローチャートである。
【００３６】
キー入力部１１の［ＡＣ］キー１１ａが操作されると（ステップＭ１のＹｅｓ）、ＣＰＵ２１は、電卓モードのモードデータをモードデータエリア２２ｅに記憶させ、動作モードを電卓モードに設定する（ステップＭ２）。
【００３７】
するとＣＰＵ２１は、キー入力部１１のユーザ操作に応じた計算処理を実行し、計算結果のデータを表示部１２に表示させる。
【００３８】
［ＡＣ］キー１１ａではなく、［時計／温湿度］キー１１ｅが操作されると（ステップＭ３のＹｅｓ）、ＣＰＵ２１は、モードデータエリア２２ｅに記憶されているモードデータに基づき、現在の動作モードが電卓モードまたは温湿度モードであるかを判定し（ステップＭ４）、電卓モードまたは温湿度モードであると判定されると（ステップＭ４のＹｅｓ）、時計モードのモードデータをモードデータエリア２２ｅに記憶させ、動作モードを時計モードに設定する（ステップＭ５）。
【００３９】
するとＣＰＵ２１は、電波時計部２６に基づき取得される現在の年月日・時刻・曜日のデータを表示部１２に表示させる。
【００４０】
一方、［時計／温湿度］キー１１ｅが操作された際に（ステップＭ３のＹｅｓ）、ＣＰＵ２１により、現在の動作モードが電卓モードまたは温湿度モードの何れでもない（すなわち、時計モード）と判定されると（ステップＭ４のＮｏ）、温湿度モードのモードデータをモードデータエリア２２ｅに記憶させ、動作モードを温湿度モードに設定する（ステップＭＳ）。
【００４１】
するとＣＰＵ２１は、測定データエリア２２ｄに記録されている当日および前日の温度と湿度の測定データに基づいた温度と湿度の表示処理を実行する。
【００４２】
図５は、時計・温湿度計付き電卓１０の第１実施形態の温湿度モード処理を示すフローチャートである。
【００４３】
図６は、時計・温湿度計付き電卓１０の第１実施形態の温湿度モード処理に従った温度と湿度の表示遷移を示す図である。
【００４４】
電卓１０の動作モードが、［時計／温湿度］キー１１ｅの操作に応じて温湿度モードに設定されると（ステップＭＳ）、ＣＰＵ２１は、先ず、温度測定部２７と湿度測定部２８により測定されている現在の温度と湿度のデータ、または測定データエリア２２ｄに記録された最新の温度と湿度のデータを、図６（Ａ）に示すように、現在の温度（２５．７℃）と湿度（７０％）として表示部１２に表示させる（ステップＳ１）。
【００４５】
ここで［Ｍ＋］キー１１ｃが操作されると（ステップＳ２のＹｅｓ）、ＣＰＵ２１は、測定データエリア２２ｄに記録されている当日の最高温度と最低温度とを読み出し、図６（Ｂ）に示すように、当日の最高温度（ＭＡＸ  ３０．０℃）と最低温度（ＭＩＮ  ２０．０℃）として表示部１２に表示させる（ステップＳ３）。
【００４６】
ここで更に［Ｍ＋］キー１１ｃが操作されると（ステップＳ４のＹｅｓ）、ＣＰＵ２１は、測定データエリア２２ｄに記録されている当日の最高湿度と最低湿度とを読み出し、図６（Ｃ）に示すように、当日の最高湿度（ＭＡＸ  ８０％）と最低湿度（ＭＩＮ  ６０％）として表示部１２に表示させる（ステップＳ５）。
【００４７】
また更に［Ｍ＋］キー１１ｃが操作されると（ステップＳ６のＹｅｓ）、ＣＰＵ２１は、再び、図６（Ａ）に示すように、現在の温度（２５．７℃）と湿度（７０％）を表示部１２に戻して表示させる（ステップＳ１）。
【００４８】
図６（Ａ）で示したように、現在の温度（２５．７℃）と湿度（７０％）を表示させた状態で、［Ｍ−］キー１１ｄが操作されると（ステップＳ７のＹｅｓ）、ＣＰＵ２１は、測定データエリア２２ｄに記録されている前日同時刻の温度と湿度とを読み出し、図６（Ｄ）に示すように、前日同時刻の温度（前日  ２６．５℃）と湿度（前日  ６９％）として表示部１２に表示させる（ステップＳ８）。
【００４９】
ここでまた［Ｍ−］キー１１ｄが操作されると（ステップＳ９のＹｅｓ）、ＣＰＵ２１は、再び、図６（Ａ）に示すように、現在の温度（２５．７℃）と湿度（７０％）を表示部１２に戻して表示させる（ステップＳ１）。
【００５０】
このようにユーザは、現在の温度・湿度と、前日同時刻の温度・湿度とを簡単に切り替えて確認できることにより、今日と昨日の同時刻の温度・湿度を直接的に比較でき、これに基づき、例えば日々外出する際の衣服を調整するといった、より有用な判断が行えるようになる。
【００５１】
一方、図６（Ｂ）で示したように、当日の最高温度（ＭＡＸ  ３０．０℃）と最低温度（ＭＩＮ  ２０．０℃）を表示部１２に表示させた状態で、［Ｍ−］キー１１ｄが操作されると（ステップＳ１０のＹｅｓ）、ＣＰＵ２１は、測定データエリア２２ｄに記録されている前日の最高温度と最低温度とを読み出し、図６（Ｅ）に示すように、前日の最高温度（前日  ＭＡＸ  ３０．２℃）と最低温度（前日  ＭＩＮ  ２１．０℃）として表示部１２に表示させる（ステップＳ１１）。
【００５２】
ここでまた［Ｍ−］キー１１ｄが操作されると（ステップＳ１２のＹｅｓ）、ＣＰＵ２１は、再び、図６（Ｂ）に示すように、当日の最高温度（ＭＡＸ  ３０．０℃）と最低温度（ＭＩＮ  ２０．０℃）を表示部１２に戻して表示させる（ステップＳ３）。
【００５３】
また、図６（Ｃ）で示したように、当日の最高湿度（ＭＡＸ  ８０％）と最低湿度（ＭＩＮ  ６０％）を表示部１２に表示させた状態で、［Ｍ−］キー１１ｄが操作されると（ステップＳ１３のＹｅｓ）、ＣＰＵ２１は、測定データエリア２２ｄに記録されている前日の最高湿度と最低湿度とを読み出し、図６（Ｆ）に示すように、前日の最高湿度（前日  ＭＡＸ  ７７％）と最低湿度（前日  ＭＩＮ  ５６％）として表示部１２に表示させる（ステップＳ１４）。
【００５４】
ここでまた［Ｍ−］キー１１ｄが操作されると（ステップＳ１５のＹｅｓ）、ＣＰＵ２１は、再び、図６（Ｃ）に示すように、当日の最高湿度（ＭＡＸ  ８０％）と最低湿度（ＭＩＮ  ６０％）を表示部１２に戻して表示させる（ステップＳ５）。
【００５５】
なお、図６（Ｂ）で示した当日の最高温度（ＭＡＸ  ３０．０℃）と最低温度（ＭＩＮ  ２０．０℃）を表示させた状態と、図６（Ｃ）で示した当日の最高湿度（ＭＡＸ  ８０％）と最低湿度（ＭＩＮ  ６０％）を表示させた状態と、図６（Ｄ）で示した前日同時刻の温度（前日  ２６．５℃）と湿度（前日  ６９％）を表示させた状態と、図６（Ｅ）で示した前日の最高温度（前日  ＭＡＸ  ３０．２℃）と最低温度（前日  ＭＩＮ  ２１．０℃）を表示させた状態と、図６（Ｆ）で示した前日の最高湿度（前日  ＭＡＸ  ７７％）と最低湿度（前日  ＭＩＮ  ５６％）を表示させた状態と、の何れの状態においても、［Ｃ］キー１１ｂが操作されると（ステップＳ１６のＹｅｓ、Ｓ１７のＹｅｓ、Ｓ１８のＹｅｓ、Ｓ１９のＹｅｓ、Ｓ２０のＹｅｓ）、ＣＰＵ２１は、再び、図６（Ａ）に示すように、現在の温度（２５．７℃）と湿度（７０％）を表示部１２に戻して表示させる（ステップＳ１）。
【００５６】
したがって、前記構成の第１実施形態の時計・温湿度計付き電卓１０によれば、ユーザ所望の計算処理が行えるのは勿論、現在の時刻および温度・湿度の確認ができるだけでなく、現在の温度と湿度を表示させた状態で、［Ｍ−］キー１１ｄが操作されると、前日同時刻の温度と湿度に切り替えられて表示され、更に、当該［Ｍ−］キー１１ｄが操作される毎に、現在の温度・湿度と前日同時刻の温度・湿度とが交互に切り替えられて表示される。
【００５７】
これにより、今日と昨日の同時刻の温度・湿度を直接的に比較でき、例えば日々外出する際の衣服を調整するといった、より有用な判断が行えるようになる。よって、ユーザの日々の生活により有用な情報を得ることが可能になる。
【００５８】
（第２実施形態）
図７は、時計・温湿度計付き電卓１０の第２実施形態の温湿度モード処理に従った温度と湿度の表示遷移を示す図である。
【００５９】
本第２実施形態の温度・湿度の表示遷移では、図７（Ａ）に示すように、現在の温度・湿度（２５．７℃  ７０％）の表示と同時に、前日同時刻の温度・湿度に対する温度差・湿度差（−０．８℃  ＋１％）を併せて表示させ、図７（Ｄ）に示すように、前日同時刻の温度・湿度（前日  ２６．５℃  ６９％）の表示と同時に、現在の温度・湿度に対する温度差・湿度差（前日  ＋０．８℃  −１％）を併せて表示させる構成とする。
【００６０】
これによれば、現在の温度・湿度と、前日同時刻の温度・湿度とを、簡単に切り替え比較して確認できるだけでなく、その温度差・湿度差も具体値として併せて確認できるので、例えば、衣服を何枚厚着または何枚薄着にするといった調整の度合までも適切に判断できるようになる。
【００６１】
また、本第２実施形態の温度・湿度の表示遷移では、図７（Ｂ）に示すように、当日の最高温度（ＭＡＸ  ３０．０℃）・最低温度（ＭＩＮ  ２０．０℃）の表示と同時に、前日の最高温度・最低温度に対する各温度差（ＭＡＸ  −０．２℃）（ＭＩＮ  −１．０℃）を併せて表示させ、図７（Ｅ）に示すように、前日の最高温度（前日  ＭＡＸ  ３０．２℃）・最低温度（前日  ＭＩＮ  ２１．０℃）の表示と同時に、当日の最高温度・最低温度に対する各温度差（前日  ＭＡＸ  ＋０．２℃）（前日  ＭＩＮ  ＋１．０℃）を併せて表示させる構成としてもよい。
【００６２】
更に、本第２実施形態の温度・湿度の表示遷移では、図７（Ｃ）に示すように、当日の最高湿度（ＭＡＸ  ８０％）・最低湿度（ＭＩＮ  ６０％）の表示と同時に、前日の最高湿度・最低湿度に対する各湿度差（ＭＡＸ  ＋３％）（ＭＩＮ  ＋４％）を併せて表示させ、図７（Ｆ）に示すように、前日の最高湿度（前日  ＭＡＸ  ７７％）・最低湿度（前日  ＭＩＮ  ５６％）の表示と同時に、当日の最高湿度・最低湿度に対する各湿度差（前日  ＭＡＸ  −３％）（前日  ＭＩＮ  −４％）を併せて表示させる構成としてもよい。
【００６３】
（第３実施形態）
図８は、時計・温湿度計付き電卓１０の第３実施形態の温湿度モード処理に従った温度と湿度の表示遷移を示す図である。
【００６４】
本第３実施形態の温度・湿度の表示遷移では、図８（Ａ）に示すように、現在の温度・湿度（２５．７℃  ７０％）の表示状態において、［Ｍ−］キー１１ｄが操作されると、図８（Ｄ）に示すように、前日同時刻の温度・湿度に対する温度差・湿度差（前日差  −０．８℃  ＋１％）に切り替えて表示させる構成とする。
【００６５】
これによれば、現在の温度・湿度の、前日同時刻の温度・湿度に対する温度差・湿度差を、簡単且つ明確に確認できるので、前記第２実施形態と同様に、例えば、衣服を何枚厚着または何枚薄着にするといった調整の度合までも素早く且つ適切に判断できるようになる。
【００６６】
また、本第３実施形態の温度・湿度の表示遷移では、図８（Ｂ）に示すように、当日の最高温度（ＭＡＸ  ３０．０℃）・最低温度（ＭＩＮ  ２０．０℃）の表示状態において、［Ｍ−］キー１１ｄが操作されると、図８（Ｅ）に示すように、前日の最高温度・最低温度に対する各温度差（前日差  ＭＡＸ  −０．２℃）（前日差  ＭＩＮ  −１．０℃）に切り替えて表示させる構成としてもよい。
【００６７】
更に、本第３実施形態の温度・湿度の表示遷移では、図８（Ｃ）に示すように、当日の最高湿度（ＭＡＸ  ８０％）・最低湿度（ＭＩＮ  ６０％）の表示状態において、［Ｍ−］キー１１ｄが操作されると、図８（Ｆ）に示すように、前日の最高湿度・最低湿度に対する各湿度差（前日差  ＭＡＸ  ＋３％）（前日差  ＭＩＮ  ＋４％）に切り替えて表示させる構成としてもよい。
【００６８】
なお、前記実施形態において、現在の温度・湿度を表示させる際（図６（Ａ）参照）と、前日同時刻の温度・湿度を表示させる際（図６（Ｄ）参照）とに、現在の時刻を併せて表示させる構成としてもよい。
【００６９】
また、当日や前日の最高温度（最高湿度）・最低温度（最低湿度）を表示させる際（図６（Ｂ）（Ｃ）（Ｅ）（Ｆ）参照）には、当該最高温度（最高湿度）・最低温度（最低湿度）が記録された時刻を併せて表示させる構成としてもよい。
【００７０】
また、前記実施形態では、温度と湿度を対象にして測定、表示を行なう電卓１０について説明したが、それ以外の他の気象要素を対象にしたり、当該他の気象要素を更に併せて対象にした電卓１０として構成としてもよい。
【００７１】
前記各実施形態において記載した、時計・温湿度計付き電卓１０（データ表示装置）による各処理の手法、すなわち、図４のフローチャートに示すモード設定処理、図５のフローチャートに示す温湿度モード処理の各手法は、何れも制御部であるＣＰＵ（プロセッサ）に実行させることができるプログラムとして、メモリカード（ＲＯＭカード、ＲＡＭカード等）、磁気ディスク（ハードディスク等）、光ディスク（ＣＤ−ＲＯＭ、ＤＶＤ等）、半導体メモリ等の外部記録媒体に格納して配布することができる。そして、表示部を備えた電子機器のＣＰＵ（プロセッサ）は、この外部記録媒体に記録されたプログラムを記憶装置に読み込み、この読み込んだプログラムによって動作が制御されることにより、前記各実施形態において説明した計算機能と時計機能と温湿度表示機能を実現し、前記各実施形態と同様の処理を実行することができる。
【００７２】
また、前記各手法を実現するためのプログラムのデータは、プログラムコードの形態として通信ネットワーク（Ｎ）上を伝送させることができ、この通信ネットワーク（Ｎ）に接続されたプログラムサーバ（３０）から前記プログラムのデータを、表示部を備えた電子機器に取り込んで記憶装置に記憶させ、前述した各機能を実現することもできる。
【００７３】
なお、本発明は、前記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、前記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００７４】
以下に、本願出願の当初の特許請求の範囲に記載された発明を付記する。
［付記１］
表示部と、制御部とを備え、
前記制御部は、
現在の気象要素のデータと、少なくとも前日以前の前記現在と同時刻あるいは同時間帯の前記気象要素のデータとを、前記表示部に表示させる、
データ表示装置。
［付記２］
前記制御部は、
現在の気象要素のデータと、少なくとも前日以前の前記現在と同時刻あるいは同時間帯の前記気象要素のデータとを、ユーザ操作に応じて切り替えて前記表示部に表示させる、
付記１に記載のデータ表示装置。
［付記３］
前記制御部は、更に、
現在の気象要素のデータと少なくとも前日以前の前記現在と同時刻あるいは同時間帯の前記気象要素のデータとの差分のデータを、前記表示部に表示させる、
付記１または付記２に記載のデータ表示装置。
［付記４］
前記気象要素を測定する気象要素測定部と、
現在時刻を取得する時計部と、
データを記録する記録部とを更に備え、
前記制御部は、
前記気象要素測定部により測定された気象要素のデータを前記時計部により取得される現在時刻のデータに対応付けて前記記録部に記録し、
現在の気象要素のデータと、少なくとも前日以前の前記現在と同時刻あるいは同時間帯の前記気象要素のデータとを、前記記録部から読み出して前記表示部に表示させる、
付記１ないし付記３の何れかに記載のデータ表示装置。
［付記５］
前記少なくとも前日以前の前記現在と同時刻あるいは同時間帯は、前日の前記現在と同時刻あるいは同時間帯である、
付記１ないし付記４の何れかに記載のデータ表示装置。
［付記６］
前記気象要素は、少なくとも温度を含む、
付記１ないし付記５の何れかに記載のデータ表示装置。
［付記７］
表示部を備えた電子機器の制御部により、
現在の気象要素のデータと、少なくとも前日以前の前記現在と同時刻あるいは同時間帯の前記気象要素のデータとを、前記表示部に表示させる、
ようにしたデータ表示方法。
［付記８］
表示部を備えた電子機器のコンピュータを、
現在の気象要素のデータと、少なくとも前日以前の前記現在と同時刻あるいは同時間帯の前記気象要素のデータとを、前記表示部に表示させる、
ように機能させるためのコンピュータ読み込み可能なプログラム。
【符号の説明】
【００７５】
１０  …時計・温湿度計付き電卓
１１  …キー入力部
１２  …表示部
２１  …ＣＰＵ（processor、制御部）
２２  …メモリ
２２ａ…電卓処理プログラム
２２ｂ…時計処理プログラム
２２ｃ…温湿度処理プログラム
２２ｄ…測定データエリア
２２ｅ…モードデータエリア
２３  …外部記録媒体
２４  …記録媒体読取部
２５  …通信部
２６  …電波時計部
２７  …温度測定部
２８  …湿度測定部
２９  …電池電源
３０  …Ｗｅｂサーバ
【図１】
2020071178.tif 000003
【図２】
2020071178.tif 000004
【図３】
2020071178.tif 000005
【図４】
2020071178.tif 000006
【図５】
2020071178.tif 000007
【図６】
2020071178.tif 000008
【図７】
2020071178.tif 000009
【図８】
2020071178.tif 000010